(57)【要約】【課題】ＯＳＤの見た目があまり変わって見えないようになり、不自然さを低減することが可能な液晶表示装置の提供。【解決手段】液晶表示装置は、チューナー部１と信号処理部２と表示部３とＣＰＵ４とを具備する。チューナー部１に映像信号が入力される。信号処理部２がチューナー部１からの映像信号を処理する。表示部３が信号処理部２で処理した放送の映像を表示する。ＣＰＵ４が表示するシーンに合わせて表示部３のバックライトの明るさを変更する。ＣＰＵ４がバックライトの明るさ変動と相殺するようＯＳＤ色を変える。【選択図】図１
2008116555.tif 000002
【特許請求の範囲】
【請求項１】
映像入力部と、前記映像入力部からの映像信号を処理する信号処理部と、前記信号処理部で処理した映像を表示する表示部と、表示するシーンに合わせて前記表示部のバックライトの明るさを変更する制御手段とを具備し、映像信号に重畳してＯＳＤ表示する液晶表示装置であって、
前記制御手段は、バックライトの明るさ変動と相殺するようＯＳＤ色を変えることを特徴とする液晶表示装置。
【請求項２】
上記制御手段は、ＣＬＵＴを用いたＯＳＤ表示である場合、ＣＬＵＴに登録されている色を変更することで、ＯＳＤ表示されているＯＳＤ色を変える請求項１に記載の液晶表示装置。
【請求項３】
上記制御手段は、ＣＬＵＴを用いないＯＳＤ表示である場合、色変更の都度ＯＳＤを描画しなおす請求項１に記載の液晶表示装置。
【請求項４】
上記制御手段は、変更実行時に、元の色の値とバックライトの明るさの値から変更する色の値を計算で求める請求項１に記載の液晶表示装置。
【請求項５】
上記制御手段は、あらかじめ計算した配列をプログラム内に用意して変更する色の値を参照する請求項１に記載の液晶表示装置。
【請求項６】
上記制御手段は、元々のＯＳＤ色からＲＧＢそれぞれを増した色に変更することで、白色のバックライトを暗くしたのを相殺するようにＯＳＤ色の明度を明るくする請求項１に記載の液晶表示装置。
【請求項７】
上記制御手段は、元々のＯＳＤ色からＲＧＢそれぞれを減じた色に変更することで、白色のバックライトを明るくしたのを相殺するようにＯＳＤ色の明度を暗くする請求項１に記載の液晶表示装置。
【請求項８】
上記制御手段は、白色でないバックライトの明暗に連動する場合、ＲＧＢに相応の偏りを持った増減をさせる請求項１に記載の液晶表示装置。
【請求項９】
上記表示部の周囲の明るさを検出する明るさ検出手段を備え、上記制御手段は、前記明るさ検出手段で検出した表示部の周囲の明るさにあわせてバックライトの明るさを変更し、バックライトの明るさに非連動してＯＳＤ色を変える請求項１に記載の液晶表示装置。
【請求項１０】
上記制御手段は、ユーザーが調整したバックライトの明るさに非連動してＯＳＤ色を変える請求項１に記載の液晶表示装置。
【請求項１１】
上記映像入力部として、アンテナで受信された放送のチャンネルを選局するチューナーを採用したチューナー内蔵テレビである請求項１に記載の液晶表示装置。
【請求項１２】
上記映像入力部は、外部映像信号源からの映像信号を受信して表示するビデオモニターである請求項１に記載の液晶表示装置。
【発明の詳細な説明】
【技術分野】
【０００１】
本発明は、液晶テレビのＯＳＤ（Ｏｎ  Ｓｃｒｅｅｎ  Ｄｉｓｐｌａｙ）色をバックライトの明るさに連動して変更する液晶表示装置に関するものである。
【背景技術】
【０００２】
従来より、液晶テレビのバックライトの明るさをシーンに連動して変える技術がある。
【０００３】
しかし、液晶テレビのバックライトの明るさ変動に合わせてＯＳＤ表示色を制御するというような例はない。
【０００４】
図６は、従来の液晶テレビのバックライトの明るさを制御する方法を示す説明図である。
従来の液晶テレビのバックライトの明るさを制御する方法は、図６に示すように、テレビが、シーンによってバックライトＢＬの明るさを決定し、バックライトＢＬの明るさを制御し、ＯＳＤデータを映像信号に重畳してテレビ画面９にＯＳＤ表示する。
【０００５】
従来、バックライトの発光輝度に応じて、ＯＳＤ表示の輝度を変化させる画像表示装置が特許文献１として提案されている。
【特許文献１】特開２００５−３２１４２３号公報
【発明の開示】
【発明が解決しようとする課題】
【０００６】
ところが、図６に示す従来の液晶テレビのバックライトの明るさを制御する方法では、バックライトＢＬの明るさをシーンに連動させて変更すると、映像は適切に表示されるが、それと関係のないＯＳＤ表示も影響を受けるため、ＯＳＤ表示の見た目の明度が変わってしまう。
【０００７】
従来より、液晶テレビのバックライトの明るさを、表示している映像などに連動して積極的に制御する技術があるが、ＯＳＤ色もバックライトの明るさに合わせて明度が変動してしまうという問題がある。
【０００８】
バックライトの明るさ変動の際に、ＯＳＤ色も連動させて変更し、ＯＳＤの見た目があまり変わって見えないようにしたい。
【０００９】
さらに、ユーザーがバックライトの明るさを調整した際には、ＯＳＤの見た目も一緒に変わるべきなので、ＯＳＤ色を連動させるのは、ユーザー調整以外のケースにしたい。
【００１０】
そこで、本発明は、上記の事情に鑑みてなされたものであって、映像に連動したバックライトの明るさ変動時に、ＯＳＤ色を変更することにより、ＯＳＤの見た目があまり変わって見えないようになり、不自然さを低減することが可能な液晶表示装置を提供することを目的とする。
【課題を解決するための手段】
【００１１】
前記従来技術の課題を解決するために、本発明の液晶表示装置は、映像入力部と、前記映像入力部からの映像信号を処理する信号処理部と、前記信号処理部で処理した映像を表示する表示部と、表示するシーンに合わせて前記表示部のバックライトの明るさを変更する制御手段とを具備し、映像信号に重畳してＯＳＤ表示する液晶表示装置であって、前記制御手段が、バックライトの明るさ変動と相殺するようＯＳＤ色を変えることを特徴とする構成を有するものである。
【００１２】
本発明の液晶表示装置は、上記制御手段が、ＣＬＵＴ（Ｃｏｌｏｒ  Ｌｏｏｋ  Ｕｐ  Ｔａｂｌｅ）を用いたＯＳＤ表示である場合、ＣＬＵＴに登録されている色を変更することで、ＯＳＤ表示されているＯＳＤ色を変えるようになっている。
【００１３】
本発明の液晶表示装置は、上記制御手段が、ＣＬＵＴを用いないＯＳＤ表示である場合、色変更の都度ＯＳＤを描画しなおすようになっている。
【００１４】
本発明の液晶表示装置は、上記制御手段が、変更実行時に、元の色の値とバックライトの明るさの値から変更する色の値を計算で求めるようになっている。
【００１５】
本発明の液晶表示装置は、上記制御手段が、あらかじめ計算した配列をプログラム内に用意して変更する色の値を参照するようになっている。
【００１６】
本発明の液晶表示装置は、上記制御手段が、元々のＯＳＤ色からＲＧＢそれぞれを増した色に変更することで、白色のバックライトを暗くしたのを相殺するようにＯＳＤ色の明度を明るくするようになっている。
【００１７】
本発明の液晶表示装置は、上記制御手段が、元々のＯＳＤ色からＲＧＢそれぞれを減じた色に変更することで、白色のバックライトを明るくしたのを相殺するようにＯＳＤ色の明度を暗くするようになっている。
【００１８】
本発明の液晶表示装置は、上記制御手段が、白色でないバックライトの明暗に連動する場合、ＲＧＢに相応の偏りを持った増減をさせるようになっている。
【００１９】
本発明の液晶表示装置は、上記表示部の周囲の明るさを検出する明るさ検出手段を備え、上記制御手段が、前記明るさ検出手段で検出した表示部の周囲の明るさにあわせてバックライトの明るさを変更し、バックライトの明るさに非連動してＯＳＤ色を変えるようになっている。
【００２０】
本発明の液晶表示装置は、上記制御手段が、ユーザーが調整したバックライトの明るさに非連動してＯＳＤ色を変えるようになっている。
【００２１】
本発明の液晶表示装置は、上記映像入力部として、アンテナで受信された放送のチャンネルを選局するチューナーを採用したチューナー内蔵テレビである。
【００２２】
本発明の液晶表示装置は、上記映像入力部が、外部映像信号源からの映像信号を受信して表示するビデオモニターである。
【発明の効果】
【００２３】
以上に説明したように、本発明によれば、映像に連動したバックライトの明るさ変動時に、ＯＳＤ色を変更することにより、ＯＳＤの見た目があまり変わって見えないようになり、不自然さを低減することが可能な液晶表示装置を得ることができる。
【発明を実施するための最良の形態】
【００２４】
以下、本発明を実施するための最良の形態の液晶表示装置について、図面に基づき詳細に説明する。
【実施例】
【００２５】
本発明の液晶表示装置は、映像入力部であるチューナー部１と、チューナー部１からの映像信号を処理する信号処理部２と、信号処理部２で処理した映像を表示する表示部３と、表示するシーンに合わせて表示部３のバックライトの明るさを変更する制御手段であるＣＰＵ（Ｃｅｎｔｒａｌ  Ｐｒｏｃｅｓｓｉｎｇ  Ｕｎｉｔ；中央処理装置）４とを具備する。
【００２６】
本発明の液晶表示装置は、映像信号に重畳してＯＳＤ表示する装置である。
【００２７】
本発明の液晶表示装置は、ＣＰＵ４が、バックライトの明るさ変動と相殺するようＯＳＤ色を変えるようになっている。
【００２８】
本発明の液晶表示装置は、ＣＰＵ４が、ＣＬＵＴを用いたＯＳＤ表示である場合、ＣＬＵＴに登録されている色を変更することで、ＯＳＤ表示されているＯＳＤ色を変えるようになっている。
【００２９】
本発明の液晶表示装置は、ＣＰＵ４が、ＣＬＵＴを用いないＯＳＤ表示である場合、色変更の都度ＯＳＤを描画しなおすようになっている。
【００３０】
本発明の液晶表示装置は、ＣＰＵ４が、変更実行時に、元の色の値とバックライトの明るさの値から変更する色の値を計算で求めるようになっている。
【００３１】
本発明の液晶表示装置は、ＣＰＵ４が、あらかじめ計算した配列をプログラム内に用意して変更する色の値を参照するようになっている。
【００３２】
本発明の液晶表示装置は、ＣＰＵ４が、元々のＯＳＤ色からＲＧＢそれぞれを増した色に変更することで、白色のバックライトを暗くしたのを相殺するようにＯＳＤ色の明度を明るくするようになっている。
【００３３】
本発明の液晶表示装置は、ＣＰＵ４が、元々のＯＳＤ色からＲＧＢそれぞれを減じた色に変更することで、白色のバックライトを明るくしたのを相殺するようにＯＳＤ色の明度を暗くするようになっている。
【００３４】
本発明の液晶表示装置は、ＣＰＵ４が、白色でないバックライトの明暗に連動する場合、ＲＧＢに相応の偏りを持った増減をさせるようになっている。
【００３５】
本発明の液晶表示装置は、表示部３の周囲の明るさを検出する明るさ検出手段である明るさセンサー５を備えている。
【００３６】
本発明の液晶表示装置は、ＣＰＵ４が、明るさセンサー５で検出した表示部３の周囲の明るさにあわせてバックライトの明るさを変更し、バックライトの明るさに非連動してＯＳＤ色を変えるようになっている。
【００３７】
本発明の液晶表示装置は、ＣＰＵ４が、ユーザーが調整したバックライトの明るさに非連動してＯＳＤ色を変えるようになっている。
【００３８】
本発明の液晶表示装置は、映像入力部として、アンテナで受信された放送のチャンネルを選局するチューナーを採用したチューナー内蔵テレビである。
【００３９】
本発明の液晶表示装置は、映像入力部が、外部映像信号源からの映像信号を受信して表示するビデオモニターである。
【００４０】
図１は、本発明の実施例に係る液晶表示装置の構成の一例を示すブロック図である。
本発明の液晶表示装置の一例を、図１を用いて説明する。
液晶表示装置は、図１に示すように、チューナー部１と、信号処理部２と、表示部３と、ＣＰＵ４と、明るさセンサー５と、不揮発性メモリ６と、ワークメモリ７と、入力装置８とを備えている。
【００４１】
チューナー部１は、アンテナ（図示せず）で受信されたデジタル放送のチャンネルを選局する。
【００４２】
信号処理部２は、チューナー部１で選局したデジタル放送のチャンネルの映像信号を処理し、シーンの明るさを求める。
【００４３】
表示部３は、信号処理部２で処理したデジタル放送の映像を表示する。
【００４４】
ＣＰＵ４は、装置全体の制御を行い、表示するシーンに合わせて表示部３のバックライトの明るさを変更する。
【００４５】
明るさセンサー５は、液晶テレビの表示部３の周囲の明るさを求める。
【００４６】
不揮発性メモリ６は、ＣＰＵ４の制御プログラム及び色番号とＲＧＢ形式の対応表であるＣＬＵＴを格納し、バックライト明るさのユーザー設定値を記憶する。
【００４７】
ワークメモリ７は、装置動作中の各種データを記録、読み出すためのものであり、受信したデジタル放送の番組情報を一時的に記憶する。
【００４８】
入力装置８は、ユーザーがメニューなどでバックライト明るさの設定を行う。
【００４９】
バックライトの明るさを変える制御は、下記のケースがある。
（１）液晶テレビが、表示するシーンに合わせて頻繁に変更するケース
（２）液晶テレビが、液晶テレビの周囲の明るさに合わせて変更するケース
（３）ユーザーが、メニューなどでバックライトの明るさを調整するケース
【００５０】
上記（１）液晶テレビが、表示するシーンに合わせて頻繁に変更するケースで、バックライトの明るさを決める判定にＯＳＤが関わりが無い場合、液晶テレビが映像に応じてバックライトの明るさを変動させるため、映像部分ではバックライトの明るさ変動が自然で目立たないのに対して、巻き添えで影響を受けるＯＳＤ部分ではバックライトの明るさ変動が不自然に目立ってしまう。
【００５１】
液晶テレビの制御として、バックライトを暗くする場合には、ＯＳＤ色を明るくするといったように、バックライトの明るさ変動と相殺するようＯＳＤ色の明度を変えれば、ある程度のバックライトの明るさ変動の範囲内では、ユーザーにはＯＳＤ部分の明るさ変動が不自然に見えない。
【００５２】
表示されているＯＳＤ色を変えるには、ＣＬＵＴを用いたＯＳＤ表示システムであれば、ＣＬＵＴに登録されている色を変更すれば良い。
【００５３】
また、ＣＬＵＴを用いないＯＳＤ表示システムであれば、色変更の都度ＯＳＤを描画しなおせば良い。
【００５４】
変更する色の値は、元の色の値とバックライトの明るさの値から、変更実行時に計算で求めても良いし、あらかじめ計算した配列をプログラム内に用意して参照するようにしても良い。
【００５５】
白色のバックライトを暗くしたのを相殺するようにＯＳＤ色の明度を明るくするには、元々のＯＳＤ色からＲＧＢそれぞれを増した色に変更する。
【００５６】
白色のバックライトを明るくしたのを相殺するようにＯＳＤ色の明度を暗くするには、元々のＯＳＤ色からＲＧＢそれぞれを減じた色に変更する。
【００５７】
白色でないバックライトの明暗に連動する場合には、ＲＧＢに相応の偏りを持った増減をさせる。
【００５８】
さらに、バックライトの明るさの変動を相殺するようＯＳＤ色の明度を変える際に、バックライトの光学特性により、明度だけの変化ではうまくいかないケースが考えられる。
例えば、白色蛍光管と赤色ＬＥＤのハイブリッドバックライトなどの明暗に連動する場合には、ＲＧＢに相応の偏りを持った増減をさせる。
【００５９】
図２は、液晶テレビが表示するシーンに合わせて頻繁に変更するケースにおけるバックライトの明るさを制御する方法を示す説明図である。
バックライトＢＬの明るさを映像に連動させる場合、信号処理部２がシーンの明るさを求め、テレビが、シーンによってバックライトＢＬの明るさを決定し、バックライトＢＬの明るさを制御する。
【００６０】
さらに、テレビが、バックライトＢＬの明るさ変動を相殺するよう、ＯＳＤ色をＣＬＵＴを用いて変更し、ＯＳＤデータを映像信号に重畳してテレビ画面９にＯＳＤ表示する。
【００６１】
ところで、上記（２）液晶テレビが、液晶テレビの周囲の明るさに合わせて変更するケースと、上記（３）ユーザーが、メニューなどでバックライトの明るさを調整するケースには、ＯＳＤ色の明るさを連動させる必要がない。
【００６２】
例えば、上記（２）液晶テレビが、液晶テレビの周囲の明るさに合わせて変更するケースでは、液晶テレビの周囲が暗いために、バックライトも暗くするような制御が起きる。
その際に、ＯＳＤ表示が元のままに見えるようにＯＳＤ色の明度を上げてしまうと、結果、ＯＳＤが眩しいということになる。
【００６３】
あるいは、液晶テレビの周囲が明るいために、バックライトも明るくするような制御が起きる。
その際に、ＯＳＤ表示が元のままに見えるようにＯＳＤ色の明度を下げてしまうと、結果、ＯＳＤが暗いということになる。
【００６４】
結局、上記（２）の場合は、ＯＳＤ色の連動制御は行うべきではない。
【００６５】
例えば、上記（３）ユーザーが、メニューなどでバックライトの明るさを調整するケースでは、ユーザーが見易い明るさにバックライトを調整しているのに、ＯＳＤ表示が元のままに見えてしまっては、眩しかったり暗かったりしてしまう。
【００６６】
結局、上記（３）の場合も、ＯＳＤ色の連動制御は行うべきではない。
【００６７】
つまり、バックライトの明るさが、上記（１）、（２）、（３）の複合によって決まって変動する場合に、（２）、（３）によるバックライトの明るさ変動にはＯＳＤ色を連動させずに、（１）によるバックライトの明るさ変動のみをＯＳＤ色を連動させるための参照値とするのが、自然な制御方法である。
【００６８】
さらに、シーンに連動したバックライトの変動に対しては、相殺するようなＯＳＤ色変更が必要だが、テレビの周辺の明るさによるバックライトの明るさ変動や、ユーザー操作によるバックライトの明るさ変動には、ＯＳＤ色もそのまま追従する必要がある。
【００６９】
図３は、液晶テレビが液晶テレビの周囲の明るさに合わせて変更するケースと、ユーザーがメニューなどでバックライトの明るさを調整するケースにおけるバックライトの明るさを制御する方法を示す説明図である。
ユーザーがユーザーメニュー１０でバックライトＢＬの明るさを調整する場合、ユーザーがバックライトＢＬの明るさを決定し、ユーザー設定から基本となるバックライトの明るさ（Ａ）を求める。
【００７０】
バックライトＢＬの明るさをテレビの周囲の明るさに合わせて連動させる場合、明るさセンサー５がテレビの周囲の明るさを求め、テレビが、テレビ周辺の明るさによってバックライトＢＬの明るさを決定し、テレビ周辺の明るさとバックライトＢＬの明るさ（Ａ）を基に、変化量（Ｂ）を求める。
【００７１】
バックライトＢＬの明るさを映像に連動させる場合、信号処理部２がシーンの明るさを求め、テレビが、シーンによってバックライトＢＬの明るさを決定し、映像のシーンの明るさとバックライトの明るさ（Ａ），変化量（Ｂ）を基に、変化量（Ｃ）を求める。
【００７２】
バックライトＢＬの明るさを加算器１１により（Ａ）＋（Ｂ）＋（Ｃ）として求め、バックライトＢＬの明るさを制御する。
【００７３】
さらに、テレビが、シーンによるバックライトＢＬの明るさ変動のみを相殺するよう、ＯＳＤ色をＣＬＵＴを用いて変更し、ＯＳＤデータを映像信号に重畳してテレビ画面９にＯＳＤ表示する。
【００７４】
シーン連動でバックライトの明るさ制御を行う液晶テレビにおいて、テレビ画面に重畳されるＯＳＤの色を、シーン連動のバックライトの明るさ変動を相殺するような色に適時変更することによって、ＯＳＤの色が変わって見えるのを防ぐことができる。
【００７５】
図４は、ユーザーがバックライトの明るさを調整する際に使用するＣＬＵＴの一例を示す図である。
図４にユーザーがメニューなどでバックライトの明るさを調整する際に使用する２５６色用ＣＬＵＴの例を示す。
例えば、不揮発性メモリ６には、図４に示すような、２５６色用ＣＬＵＴ１２が格納されている。
【００７６】
図４に示す２５６色用ＣＬＵＴ１２は、赤（Ｒ），緑（Ｇ），青（Ｂ）それぞれ０（暗）〜２５５（明）として、バックライトの明るさが明るくなるときには、色の明度を落とす。
【００７７】
なお、ＣＬＵＴなので、色番号にどのような色を割り当てるかはプログラム次第のため、上記はＣＬＵＴの一例である。
【００７８】
図５は、本発明の実施例に係る液晶表示装置におけるバックライトの明るさを制御する制御フロー図である。
まず、ユーザー設定から、基本となるバックライトの明るさ（Ａ）を求める（ステップＳ１００）。
【００７９】
次いで、バックライトの明るさをテレビ周辺の明るさに連動させる場合は、テレビ周辺の明るさとバックライトの明るさ（Ａ）を基に、変化量（Ｂ）を求める（ステップＳ１０１）。
【００８０】
次いで、バックライトの明るさを映像に連動させる場合は、映像のシーンの明るさとバックライトの明るさ（Ａ），変化量（Ｂ）を基に、変化量（Ｃ）を求める（ステップＳ１０２）。
【００８１】
次いで、バックライトの明るさを（Ａ）＋（Ｂ）＋（Ｃ）として求め、バックライトの明るさを制御する（ステップＳ１０３）。
【００８２】
次いで、ＯＳＤ色を変化量（Ｃ）の値によって変化させる（ステップＳ１０４）。
【００８３】
その後、ステップＳ１０１に戻り、バックライトを制御するタイミングでまわす。
【００８４】
従来、テレビはＯＳＤの見え方にはあまりこだわっていないが、デジタルテレビになり、ＯＳＤ表示するものが格段に増えたため、ＯＳＤの見え方が重要になる。
本発明は、液晶テレビならではのバックライト制御時に、ＯＳＤ色も連動して変える。
【００８５】
上記はチューナー内蔵の液晶テレビに基づいて説明してきたが、本発明は、ビデオケーブル、Ｓビデオケーブル、ＨＤＭＩケーブル等のケーブルにより接続されたセットトップボックス、ＤＶＤプレーヤ又はＨＤＤレコーダからの映像信号を表示する所謂「ビデオモニター」、ディスプレイケーブルにより接続された外部のパーソナルコンピュータからの映像信号を表示する液晶ディスプレイに用いられることはいうまでもない。
【００８６】
本発明によれば、映像に連動したバックライトの明るさ変動の量のみを用いてＯＳＤ色を決定し、ユーザー設定やテレビ周辺の明るさによるバックライトの明るさ変動の量は用いないことで、ＯＳＤ色の不自然な変化を低減できる。
【図面の簡単な説明】
【００８７】
【図１】本発明の実施例に係る液晶表示装置の構成の一例を示すブロック図。
【図２】液晶テレビが表示するシーンに合わせて頻繁に変更するケースにおけるバックライトの明るさを制御する方法を示す説明図。
【図３】液晶テレビが液晶テレビの周囲の明るさに合わせて変更するケースと、ユーザーがメニューなどでバックライトの明るさを調整するケースにおけるバックライトの明るさを制御する方法を示す説明図。
【図４】ユーザーがバックライトの明るさを調整する際に使用するＣＬＵＴの一例を示す図。
【図５】本発明の実施例に係る液晶表示装置におけるバックライトの明るさを制御する制御フロー図。
【図６】従来の液晶テレビのバックライトの明るさを制御する方法を示す説明図。
【符号の説明】
【００８８】
１  チューナー部
２  信号処理部
３  表示部
４  ＣＰＵ（制御手段）
５  明るさセンサー（明るさ検出手段）
６  不揮発性メモリ
７  ワークメモリ
８  入力装置
９  テレビ画面
１０  ユーザーメニュー
１１  加算器
１２  ２５６色用ＣＬＵＴ
ＢＬ  バックライト
【図１】
2008116555.tif 000003
【図２】
2008116555.tif 000004
【図３】
2008116555.tif 000005
【図４】
2008116555.tif 000006
【図５】
2008116555.tif 000007
【図６】
2008116555.tif 000008